(57)【要約】【課題】高齢者、病人及び幼児等が容易に操作でき、取り外しや使い捨てが可能であり、食卓や床に接触することがなく、使用時に誤って事故が発生する危険性のない高齢者、病人及び幼児用補助グリップを提供する。【解決手段】高齢者、病人及び幼児用補助グリップ１は、球体２の一部を底部７とし、この底部７に錘３を設け、球体２の側部８に食卓器具４ａの差込口６を設け、球体２は底部７の先端が切り取られて底部７に錘３が接合され、食卓器具４ａが球体２を食卓５に置いたときに、食卓器具４ａは、食卓５に接触しないように食卓５からの重心の高さ（ｈ）と垂線からの取付け角度（α）を有して球体２に取り付けられる。【選択図】図１
2018117946.tif 000002
【特許請求の範囲】
【請求項１】
球体の一部を底部とし、前記底部に錘を設け、前記球体の側部に食卓器具の差込口を設けることを特徴とする高齢者、病人及び幼児用食卓器具。
【請求項２】
請求項１に記載の高齢者、病人及び幼児用食卓器具であって、前記球体は、前記底部の先端が切り取られて前記底部に錘が接合されることを特徴とする高齢者、病人及び幼児用食卓器具。
【請求項３】
請求項１又は２に記載の高齢者、病人及び幼児用食卓器具であって、前記食卓器具は、前記球体を食卓に置いた際に、前記食卓に接触しないように、前記食卓からの高さと角度を有して前記球体に取り付けられることを特徴とする高齢者、病人及び幼児用食卓器具。
【請求項４】
請求項１乃至３のいずれか１項に記載の高齢者、病人及び幼児用食卓器具であって、前記球体は、高齢者、病人又は幼児が片手で握れる程度の大きさであることを特徴とする高齢者、病人及び幼児用食卓器具。
【請求項５】
請求項１乃至４のいずれか１項に記載の高齢者、病人及び幼児用食卓器具であって、前記食卓器具には、少なくともスプーン、ナイフ及びフォークが含まれ、前記食卓器具は、球体に対して取り外し自在であることを特徴とする高齢者、病人及び幼児用食卓器具。
【請求項６】
請求項１乃至５のいずれか１項に記載の高齢者、病人及び幼児用食卓器具であって、前記球体には、複数の前記差込口を備え、各差込口には異なる食卓器具が取り付けられることを特徴とする高齢者、病人及び幼児用食卓器具。
【請求項７】
請求項１乃至６のいずれか１項に記載の高齢者、病人及び幼児用食卓器具であって、前記球体は、発砲スチロールであり、前記錘は、コインであることを特徴とする、高齢者、病人及び幼児用食卓器具。
【発明の詳細な説明】
【技術分野】
【０００１】
本発明は、高齢者、病人及び幼児用食卓器具に係り、特に、握力の低下が著しい高齢者、手に障害がある病人、及び、まだ食卓器具をきちんと使えない幼児用食卓器具に関する。
【背景技術】
【０００２】
握力の低下等の問題がある場合、或いは、手に障害やしびれがある場合、従来の食卓機器をそのまま使用することができず、食卓機器をわしずかみにする傾向がある。これは、細かい物を掴む作業には握力と細かい指の動きとを要するからである。また、手の動きが未発達な幼児も食卓機器をわしずかみにして食事をする。そこで、握力が弱った高齢者、病気で手の自由がきかない病人、食卓器具がきちんと使えない幼児等が自らの手で食事ができるような食卓器具が考案されている。
【０００３】
特許文献１には、病気等で関節や筋肉が動かしにくくなった場合、比較的大きな関節や筋肉は動かし易く、肘や捻りを除いた腕首の曲げを使用できるケースが多い。この肘や捻りを除いた腕首の曲げと、握る力を中心とした動作で食事ができることと、一部の指が可動可能な場合も多いことを考慮し、これらを組み合わせた動作を取り入れたグリップが考案されている。
【０００４】
特許文献２には、医療施設、介護施設又は家庭内で、病人・障害者・幼児又は高齢者であっても容易に食事を行うことができる、病人・障害者・幼児又は高齢者用のスプーンが開示されている。ここでは、食品を入れる皿状凹部の長手方向の平面の中心線が、手で握るための柄の部分の長手方向の平面の中心線に対して、約６０〜１５０度の角度だけ、ユーザーの口元に近づく方向に傾斜するように形成されている。また、前記柄の前記皿状凹部が備えられた端部又はその近傍の部分には、前記皿状凹部の裏側の方向に突出する突部であって、底面が平面状に形成されている突部が備えられている。
【先行技術文献】
【特許文献】
【０００５】
【特許文献１】特開２００２−８５４８６号公報
【特許文献２】特開２００１−２８６５１６号公報
【発明の概要】
【発明が解決しようとする課題】
【０００６】
従来の食卓器具は、握力の低下が著しい高齢者、手に障害がある病人、及び、まだ食卓器具をきちんと掴めない幼児にとっては操作し難かった。従って、介護者、ホームヘルパ、或いは親の協力なしでは食事をスムーズに採ることができないという問題があった。
【０００７】
また、高齢者、病人及び幼児等は病原菌やウイルスに対する耐性が弱いが、従来の食卓器具は、食事の際に食卓器具が食卓に接触したり、回転して床に落ちたりする可能性があり、食事の際に病原菌やウイルスに感染する可能性が高いという問題があった。
【０００８】
また、従来の食卓器具は、使用後に洗浄する必要があり、介護者、ホームヘルパ、或いは親の手間がかかるという問題があった。
【０００９】
さらに、従来の食卓器具、特にフォーク及びナイフは、使用時に誤って喉の奥に刺してしまうという事故を起こす虞があった。
【００１０】
本願の目的は、かかる課題を解決し、高齢者、病人及び幼児等が容易に操作でき、取り外しや使い捨てが可能であり、食卓や床に接触することがなく、使用時に誤って事故が発生する危険性のない高齢者、病人及び幼児用食卓器具を提供することである。
【課題を解決するための手段】
【００１１】
上記目的を達成するため、本発明に係る高齢者、病人及び幼児用食卓器具は、球体の一部を底部としてその底部に錘を設け、球体の側部に食卓器具の差込口を設けることを特徴とする。
【００１２】
上記構成により、食卓器具の柄の部分を球体にすることで、より弱い握力でも指先で容易に掴むことができる。これにより、手に障害があってもスムーズな食事ができるようになる。また、球体が保護するため、誤って食卓器具を喉に突き刺すといった事故を防止することができる。
【００１３】
また、高齢者、病人及び幼児用食卓器具は、球体は底部の先端が切り取られて底部に錘が接合されることが好ましい。球体の重心位置が底部に設けられた錘より下方に移動し、「起き上がりこぶし」の原理により球体が転がるのを防止することができる。これにより、食卓器具が食卓から落下しようとしたり、転がろうとしたりする場合に元の位置に復元させることができる。
【００１４】
また、高齢者、病人及び幼児用食卓器具は、食卓器具が、球体を食卓に置いた際に、食卓に接触しないように、食卓からの高さと角度を有して球体に取り付けられることが好ましい。これにより、「起き上がりこぶし」の原理によって、食卓器具の通常の使用範囲内では食卓器具は常に食卓から離れた状態になり、食卓器具及び食卓を清潔に保つことができる。
【００１５】
また、高齢者、病人及び幼児用食卓器具は、食卓器具が、球体が高齢者、病人又は幼児が片手で握れる程度の大きさであることが好ましい。これにより、手に障害やしびれがある者、或いは握力の低下等の問題がある者が容易に球体を掴むことができる。また、使用者の年齢や症状に応じて使用者が使い易いサイズの球体を選択することができる。さらに、食卓器具をその使用時に誤って喉の奥に刺してしまう事故が発生するのを防止することができる。
【００１６】
また、高齢者、病人及び幼児用食卓器具は、食卓器具には少なくともスプーン、ナイフ及びフォークが含まれ、食卓器具が球体に対して取り外し自在であることが好ましい。これにより、食卓器具と球体とを取り外して使用することができ、また、球体は使い捨てにより交換できる。すなわち、食卓器具の洗浄の際に、食卓器具を取り外してより清潔に洗浄することができる。また、汚れた球体を容易に交換することができる。また、症状に応じて球体の大きさを変えることができる。さらに、当日の食事のメニュに応じて食卓器具の長さやサイズを変更できる。
【００１７】
また、高齢者、病人及び幼児用食卓器具は、球体には複数の差込口が設けられ、各差込口には異なる食卓器具が取り付けられることが好ましい。これにより、スプーン、フォーク又はナイフを同時に使い分けて使用することができる。また、同じ種類の食卓器具で用途が異なるものを使い分けることができる。さらに、箸専用の差込口とすることもできる。
【００１８】
さらに、高齢者、病人及び幼児用食卓器具は、球体が発砲スチロールであり、錘がコインであることが好ましい。これにより、容易に加工ができ軽量で柔らかな発砲スチロールを使用することができる。さらに、食卓器具をその使用時に誤って喉の奥に刺してしまう事故が発生するのを防止することができる。また、安価な材料で構成でき、使い捨ても可能とすることができる。
【発明の効果】
【００１９】
以上のように、本発明に係る高齢者、病人及び幼児用食卓器具によれば、高齢者、病人及び幼児等が容易に操作でき、取り外しや使い捨てが可能であり、食卓や床に接触することがなく、使用時に誤って事故が発生する危険性のない高齢者、病人及び幼児用食卓器具が提供できる。
【図面の簡単な説明】
【００２０】
【図１】本発明に係る高齢者、病人及び幼児用食卓器具の一つの実施形態の概略構成を示す断面図である。
【図２】「起き上がりこぶし」の原理を示す説明図である。
【図３】本発明に係る高齢者、病人及び幼児用食卓器具の使用時の説明図である。
【図４】食卓機器のバリエーションを示す説明図である。
【発明を実施するための形態】
【００２１】
（高齢者、病人及び幼児用食卓器具の構成）
以下に、図面を用いて本発明に係る高齢者、病人及び幼児用食卓器具１につき、詳細に説明する。図１に高齢者、病人及び幼児用食卓器具１の一つの実施形態の概略構成を示す。本発明は、主として握力の低下が著しい高齢者、手に障害がある病人、及び、まだ食卓器具をきちんと使えない幼児等を対象とするが、これは例示であり、これらの者に限らず、例えば障害者等も対象とすることができる。また、「食卓器具」とは、食事をする食卓５にて用いる、例えば、ナイフ、フォーク、スプーン等の器具を指すが、これに限らず、例えば、箸（図示せず）等が含まれても良い。
【００２２】
図１に示すように、高齢者、病人及び幼児用食卓器具１は、球体２の一部を底部７とし、底部７に錘３を設け、球体２の側部８に食卓器具４の差込口６を設ける。すなわち、球体２の任意の位置を底部７として先端を切り取ることで平らな低面を作成し、その円形の底面の中央に錘３を取り付ける。そして、底部７とほぼ交差する方向を側部８として食卓器具４を差し込む差込口６を設ける。
【００２３】
高齢者、病人及び幼児用食卓器具１の使用者は、球体２を片手で掴んでそれに取り付けられた食卓器具４を使用して食事をする。このように、食卓器具４の柄の部分を球体２にすることで、高齢者の場合、より弱い握力でも指先で容易に掴むことができ、介護者の助けがなくても自ら食事ができるようになる。また、病人の場合、手に障害があっても、球体２をわしづかみにすることで看護士等の手を煩わせることなく自らスムーズな食事ができるようになる。さらに、幼児の場合、まだ食卓器具４が正しく使えなくても球体２を握ることで、親の手を煩わせることなく容易に食事をすることができる。
【００２４】
また、誤って食卓器具４を喉に突き刺すといった事故を防止することができる。すなわち、食卓器具４の柄の部分を球体２にすることで、少なくとも球体２の部分は口元から奥に入らず喉の奥にフォーク、ナイフ等が刺さってしまうことが防止できる。
【００２５】
図２に「起き上がりこぶし」の原理を示す。本発明に係る高齢者、病人及び幼児用食卓器具１は、この「起き上がりこぶし」の原理を応用したものである。すなわち、食卓器具４は、球形の物体ではあるが、回転したり床に落下したりすることはない。本発明に係る高齢者、病人及び幼児用食卓器具１は、図芯（図２の符号Ｏ参照）に対して重心（図２の符号Ｇ参照）が錘３により低い位置に設定されている。これにより、回転する応力を受け図２の二点鎖線のように回転しようとすると、この重心位置により元の実線の位置に復元しようとする復元力が発生する。
【００２６】
すなわち、球体２を食卓５に置いたときに、食卓５に接触しないように、図１に示す食卓５からの重心の高さ（ｈ）と垂線からの取付け角度（α）を有して食卓器具４が球体２に取り付けられる。これにより、本発明に係る高齢者、病人及び幼児用食卓器具１は、回転することなく元の位置に戻り、食卓５から落下することもない。
【００２７】
図３に、本発明に係る高齢者、病人及び幼児用食卓器具１の使用例を示す。使用者は、球体２を片手で握って使用するが、特に握り方について特定する決まりはなく、自由に握って構わない。球体２のサイズは、高齢者、病人又は幼児が片手で握れる程度の大きさであるが、大人には大型の球体２が用いられ、幼児には小型の球体２が用いられる。また、手のしびれや握力の程度により、使用者が使い易いサイズの球体２を選択することができる。
【００２８】
図４に、食卓器具４のバリエーションを示す。球体２には、複数の差込口６，６´が設けられても良い。この場合、各差込口６，６´には異なる食卓器具４ａ〜４ｃが取り付けられ、スプーン４ａ，ナイフ４ｂ又はフォーク４ｃを同時に使い分けて使用しても良い。また、同じ種類の食卓器具４ａ〜４ｃで用途が異なるものを使い分けることができる。例えば、スープ用の特殊なスプーン４ａと通常のスプーン４ａとを使い分けることができる。
【００２９】
なお、食卓器具４には少なくともスプーン４ａ，ナイフ４ｂ，フォーク４ｃが含まれるが、これに限らず、例えば箸４ｄ等が含まれても良い。食卓器具４として箸４ｄを用いる場合には、球体２に箸専用に隣接する２つの箸専用差込口６´を設ける。そして、２本の箸をそれぞれ箸専用差込口６´に差し込んで使用することができる。
【００３０】
食卓器具４は球体２に対して取り外し自在であるという特徴を備える。この特徴により、食卓器具４と球体２とを取り外して使用することができる。また、球体２を使い捨てにより交換することができる。すなわち、食卓器具４の洗浄の際に、食卓器具４を取り外してより清潔に洗浄することができる。また、汚れた球体２を容易に交換することができる。また、症状に応じて球体２の大きさを変えることができる。さらに、当日の食事のメニュに応じて食卓器具４の長さやサイズを変更できる。
【００３１】
本実施形態では、球体２は発泡スチロールであるが、これに限らず、軽量で加工が容易な素材であれば代替可能である。発泡スチロールは、合成樹脂素材の一種であり、発泡ポリスチレン、ポリスチレンフォーム、スタイロフォーム（登録商標）等とも称される。発泡スチロールは、内部に気泡を含むため軽量であり、加工性に優れている。このように、容易に加工ができ軽量で柔らかな発砲スチロールを使用することができ、食卓器具４をその使用時に誤って喉の奥に刺してしまう事故が発生するのを防止することができる。また、安価な材料で構成でき、使い捨ても可能とすることができる。
【００３２】
また、本実施形態では、錘３は、所定の重さがあり球体２に取り付け可能な材料であれば何でもよいが、例えば、コイン等は手軽に調達することができ、枚数を重ねて取り付けることで容易に重さを調整できる点で簡易な錘３となる。
【００３３】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００３４】
１  高齢者、病人及び幼児用食卓器具、２，２´  球体、３，３´  錘、４  食卓器具，４ａ  スプーン，４ｂ  ナイフ，４ｃ  フォーク，４ｄ  箸、５  食卓、６  差込口，６´  箸専用差込口、７  底部、８  側部、Ｇ，Ｇ´  重心、Ｏ，Ｏ´  図芯、ｈ  （食卓器具の）食卓からの重心の高さ、α  （食卓器具の）垂線からの取付け角度。
【図１】
2018117946.tif 000003
【図２】
2018117946.tif 000004
【図３】
2018117946.tif 000005
【図４】
2018117946.tif 000006
【手続補正書】
【提出日】平成30年3月26日(2018.3.26)
【手続補正２】
【補正対象書類名】明細書
【補正対象項目名】０００１
【補正方法】変更
【補正の内容】
【０００１】
本発明は、高齢者、病人及び幼児用補助グリップに係り、特に、握力の低下が著しい高齢者、手に障害がある病人、及び、まだ食卓器具をきちんと使えない幼児用補助グリップに関する。
【手続補正３】
【補正対象書類名】明細書
【補正対象項目名】０００６
【補正方法】変更
【補正の内容】
【０００６】
従来の補助グリップは、握力の低下が著しい高齢者、手に障害がある病人、及び、まだ食卓器具をきちんと掴めない幼児にとっては操作し難かった。従って、介護者、ホームヘルパ、或いは親の協力なしでは食事をスムーズに採ることができないという問題があった。
【手続補正４】
【補正対象書類名】明細書
【補正対象項目名】００１０
【補正方法】変更
【補正の内容】
【００１０】
本願の目的は、かかる課題を解決し、高齢者、病人及び幼児等が容易に操作でき、取り外しや使い捨てが可能であり、食卓や床に接触することがなく、使用時に誤って事故が発生する危険性のない高齢者、病人及び幼児用補助グリップを提供することである。
【手続補正５】
【補正対象書類名】明細書
【補正対象項目名】００１１
【補正方法】変更
【補正の内容】
【００１１】
上記目的を達成するため、本発明に係る高齢者、病人及び幼児用補助グリップは、球体の任意の位置を底部とし、底部の先端を切り取ることで平らな底面を作成し、円形の底面の中央に錘を取り付け、球体を食卓に置いたときに球体の側部の先端となる位置に、複数の食卓器具が差し込まれる複数の差込口を設け、食卓器具は、食卓からの高さと角度を有して食卓に接触しないように球体に取り付けられることを特徴とする。
【手続補正６】
【補正対象書類名】明細書
【補正対象項目名】００１３
【補正方法】変更
【補正の内容】
【００１３】
また、高齢者、病人及び幼児用補助グリップは、球体は底部の先端が切り取られて底部に錘が接合されることが好ましい。球体の重心位置が底部に設けられた錘より下方に移動し、「起き上がりこぶし」の原理により球体が転がるのを防止することができる。これにより、食卓器具が食卓から落下しようとしたり、転がろうとしたりする場合に元の位置に復元させることができる。
【手続補正７】
【補正対象書類名】明細書
【補正対象項目名】００１４
【補正方法】変更
【補正の内容】
【００１４】
また、高齢者、病人及び幼児用補助グリップは、食卓器具が、球体を食卓に置いた際に、食卓に接触しないように、食卓からの高さと角度を有して球体に取り付けられることが好ましい。これにより、「起き上がりこぶし」の原理によって、食卓器具の通常の使用範囲内では食卓器具は常に食卓から離れた状態になり、食卓器具及び食卓を清潔に保つことができる。
【手続補正８】
【補正対象書類名】明細書
【補正対象項目名】００１５
【補正方法】変更
【補正の内容】
【００１５】
また、高齢者、病人及び幼児用補助グリップは、食卓器具が、球体が高齢者、病人又は幼児が片手で握れる程度の大きさであることが好ましい。これにより、手に障害やしびれがある者、或いは握力の低下等の問題がある者が容易に球体を掴むことができる。また、使用者の年齢や症状に応じて使用者が使い易いサイズの球体を選択することができる。さらに、食卓器具をその使用時に誤って喉の奥に刺してしまう事故が発生するのを防止することができる。
【手続補正９】
【補正対象書類名】明細書
【補正対象項目名】００１６
【補正方法】変更
【補正の内容】
【００１６】
また、高齢者、病人及び幼児用補助グリップは、食卓器具には少なくともスプーン、ナイフ及びフォークが含まれ、食卓器具が球体に対して取り外し自在であることが好ましい。これにより、食卓器具と球体とを取り外して使用することができ、また、球体は使い捨てにより交換できる。すなわち、食卓器具の洗浄の際に、食卓器具を取り外してより清潔に洗浄することができる。また、汚れた球体を容易に交換することができる。また、症状に応じて球体の大きさを変えることができる。さらに、当日の食事のメニュに応じて食卓器具の長さやサイズを変更できる。
【手続補正１０】
【補正対象書類名】明細書
【補正対象項目名】００１７
【補正方法】変更
【補正の内容】
【００１７】
また、高齢者、病人及び幼児用補助グリップは、球体には複数の差込口が設けられ、各差込口には異なる食卓器具が取り付けられることが好ましい。これにより、スプーン、フォーク又はナイフを同時に使い分けて使用することができる。また、同じ種類の食卓器具で用途が異なるものを使い分けることができる。さらに、箸専用の差込口とすることもできる。
【手続補正１１】
【補正対象書類名】明細書
【補正対象項目名】００１８
【補正方法】変更
【補正の内容】
【００１８】
さらに、高齢者、病人及び幼児用補助グリップは、球体が発砲スチロールであり、錘がコインであることが好ましい。これにより、容易に加工ができ軽量で柔らかな発砲スチロールを使用することができる。さらに、食卓器具をその使用時に誤って喉の奥に刺してしまう事故が発生するのを防止することができる。また、安価な材料で構成でき、使い捨ても可能とすることができる。
【手続補正１２】
【補正対象書類名】明細書
【補正対象項目名】００１９
【補正方法】変更
【補正の内容】
【００１９】
以上のように、本発明に係る高齢者、病人及び幼児用補助グリップによれば、高齢者、病人及び幼児等が容易に操作でき、取り外しや使い捨てが可能であり、食卓や床に接触することがなく、使用時に誤って事故が発生する危険性のない高齢者、病人及び幼児用補助グリップが提供できる。
【手続補正１３】
【補正対象書類名】明細書
【補正対象項目名】００２０
【補正方法】変更
【補正の内容】
【００２０】
【図１】本発明に係る高齢者、病人及び幼児用補助グリップの一つの実施形態の概略構成を示す断面図である。
【図２】「起き上がりこぶし」の原理を示す説明図である。
【図３】本発明に係る高齢者、病人及び幼児用補助グリップの使用時の説明図である。
【図４】食卓機器のバリエーションを示す説明図である。
【手続補正１４】
【補正対象書類名】明細書
【補正対象項目名】００２１
【補正方法】変更
【補正の内容】
【００２１】
（高齢者、病人及び幼児用補助グリップの構成）
以下に、図面を用いて本発明に係る高齢者、病人及び幼児用補助グリップ１につき、詳細に説明する。図１に高齢者、病人及び幼児用補助グリップ１の一つの実施形態の概略構成を示す。本発明は、主として握力の低下が著しい高齢者、手に障害がある病人、及び、まだ食卓器具をきちんと使えない幼児等を対象とするが、これは例示であり、これらの者に限らず、例えば障害者等も対象とすることができる。また、「食卓器具」とは、食事をする食卓５にて用いる、例えば、ナイフ、フォーク、スプーン等の器具を指すが、これに限らず、例えば、箸（図示せず）等が含まれても良い。
【手続補正１５】
【補正対象書類名】明細書
【補正対象項目名】００２２
【補正方法】変更
【補正の内容】
【００２２】
図１に示すように、高齢者、病人及び幼児用補助グリップ１は、球体２の一部を底部７とし、底部７に錘３を設け、球体２の側部８に食卓器具４の差込口６を設ける。すなわち、球体２の任意の位置を底部７として先端を切り取ることで平らな低面を作成し、その円形の底面の中央に錘３を取り付ける。そして、底部７とほぼ交差する方向を側部８として食卓器具４を差し込む差込口６を設ける。
【手続補正１６】
【補正対象書類名】明細書
【補正対象項目名】００２３
【補正方法】変更
【補正の内容】
【００２３】
高齢者、病人及び幼児用補助グリップ１の使用者は、球体２を片手で掴んでそれに取り付けられた食卓器具４を使用して食事をする。このように、食卓器具４の柄の部分を球体２にすることで、高齢者の場合、より弱い握力でも指先で容易に掴むことができ、介護者の助けがなくても自ら食事ができるようになる。また、病人の場合、手に障害があっても、球体２をわしづかみにすることで看護士等の手を煩わせることなく自らスムーズな食事ができるようになる。さらに、幼児の場合、まだ食卓器具４が正しく使えなくても球体２を握ることで、親の手を煩わせることなく容易に食事をすることができる。
【手続補正１７】
【補正対象書類名】明細書
【補正対象項目名】００２５
【補正方法】変更
【補正の内容】
【００２５】
図２に「起き上がりこぶし」の原理を示す。本発明に係る高齢者、病人及び幼児用補助グリップ１は、この「起き上がりこぶし」の原理を応用したものである。すなわち、食卓器具４は、球形の物体ではあるが、回転したり床に落下したりすることはない。本発明に係る高齢者、病人及び幼児用補助グリップ１は、図芯（図２の符号Ｏ参照）に対して重心（図２の符号Ｇ参照）が錘３により低い位置に設定されている。これにより、回転する応力を受け図２の二点鎖線のように回転しようとすると、この重心位置により元の実線の位置に復元しようとする復元力が発生する。
【手続補正１８】
【補正対象書類名】明細書
【補正対象項目名】００２６
【補正方法】変更
【補正の内容】
【００２６】
すなわち、球体２を食卓５に置いたときに、食卓５に接触しないように、図１に示す食卓５からの重心の高さ（ｈ）と垂線からの取付け角度（α）を有して食卓器具４が球体２に取り付けられる。これにより、本発明に係る高齢者、病人及び幼児用補助グリップ１は、回転することなく元の位置に戻り、食卓５から落下することもない。
【手続補正１９】
【補正対象書類名】明細書
【補正対象項目名】００２７
【補正方法】変更
【補正の内容】
【００２７】
図３に、本発明に係る高齢者、病人及び幼児用補助グリップ１の使用例を示す。使用者は、球体２を片手で握って使用するが、特に握り方について特定する決まりはなく、自由に握って構わない。球体２のサイズは、高齢者、病人又は幼児が片手で握れる程度の大きさであるが、大人には大型の球体２が用いられ、幼児には小型の球体２が用いられる。また、手のしびれや握力の程度により、使用者が使い易いサイズの球体２を選択することができる。
【手続補正２０】
【補正対象書類名】明細書
【補正対象項目名】００３４
【補正方法】変更
【補正の内容】
【００３４】
１  高齢者、病人及び幼児用補助グリップ、２，２´  球体、３，３´  錘、４  食卓器具，４ａ  スプーン，４ｂ  ナイフ，４ｃ  フォーク，４ｄ  箸、５  食卓、６  差込口，６´  箸専用差込口、７  底部、８  側部、Ｇ，Ｇ´  重心、Ｏ，Ｏ´  図芯、ｈ  （食卓器具の）食卓からの重心の高さ、α  （食卓器具の）垂線からの取付け角度。
【手続補正２１】
【補正対象書類名】特許請求の範囲
【補正対象項目名】全文
【補正方法】変更
【補正の内容】
【特許請求の範囲】
【請求項１】
球体の任意の位置を底部とし、前記底部の先端を切り取ることで平らな底面を作成し、円形の前記底面の中央に錘を取り付け、
前記球体を食卓に置いたときに前記球体の側部の先端となる位置に、複数の食卓器具が差し込まれる複数の差込口を設け、
前記食卓器具は、前記食卓からの高さと角度を有して前記食卓に接触しないように前記球体に取り付けられることを特徴とする高齢者、病人及び幼児用補助グリップ。
【請求項２】
請求項１に記載の高齢者、病人及び幼児用補助グリップであって、前記食卓器具には、少なくともスプーン、ナイフ、及びフォークが含まれ、前記食卓器具は、球体に対して取り外し自在であることを特徴とする高齢者、病人及び幼児用補助グリップ。
【請求項３】
請求項１又は２に記載の高齢者、病人及び幼児用補助グリップであって、前記球体は、発砲スチロールであり、前記錘は、コインであることを特徴とする、高齢者、病人及び幼児用補助グリップ。